(57)【要約】      （修正有）【課題】テープを貼った後剥がす場合テープがピタット貼りついて取り難い為、貼る時にテープの先端部を指先でつまんで折り曲げてカットするテープ折りカッターを提供する。【解決手段】テープ３が格納された左右開閉テープ交換部５を設けたテープカッター本体１の中央部のテープ引き出し穴６から伸びたテープ３に沿って前方に伸びた部分に設けた金属刃４の先端部の下部にテープ折り曲げ凸部２を設け、テープ折り曲げ凸部２は、裏面に両面テープを備え、テープカッター本体に貼り付けたことを特徴とし、また、テープ３が格納されたテープカッター本体１は、中央部の後方にテープ巻き戻し穴７を設け、中央部の後方側面にテープ残量覗き穴を設けたことを特徴とする。【選択図】図１
0003190312.tif 000002
【実用新案登録請求の範囲】
【請求項１】
テープカッター下部にテープ折り曲げ凸部を設け、テープ先端を凸に当てて指で挟むと折り曲げられ、出し過ぎた場合はテープ巻き戻し窓にて巻き戻せるテープ折りカッター。
【請求項２】
テープカッター一体型でなく凸部（２）の裏面に両面テープつきで既製品の台に自由に貼りつけ使用可能にしたテープー折りカッター。
【考案の詳細な説明】
【技術分野】
【０００１】本考案は、テープの先端を折り曲げるテープ折りカッターに関する。
【背景技術】
【０００２】従来のテープカッターは大、小いろいろの形態は有るけれどテープの先端を折り曲げるテープカッターは無かった。
【考案の概要】
【考案が解決しようとする課題】
【０００３】しかしながら、従来のカッターはチラシやマスキング等を貼る場合はそのまま貼る為に取り外す場合ピタッと付いて外せない欠点があった。
【課題を解決するための手段】
【０００４】本考案は、本体下部にテープ先端折り曲げ用凸部を設け、テープの先端を指先で挟むとテープが折れ曲がるため、（４）でカットできる。一体型でなく単体（２）を（９）の両面テープ付きで既製品のカッターに取り付けることも出来る。この構成により上記課題を解決する物である。
【考案の効果】
【０００５】本考案に係るテープ折りカッターは一度にテープを引き出して折り曲げが出来るし、展示品を取り外す場合はテープ先端が折れ曲がっているために簡単に取り外せる為に実用性に優れた物である。
【図面の簡単な説明】
【０００６】
【図１】本考案の平面図である。
【図２】本考案の右側面図である。
【図３】本考案の単体右側面図である。
【考案を実施するための形態】
【０００７】本考案は、図１に示すように、本体（１）の下部テープ折り曲げ凸部を設ける。
【０００８】テープー交換は、テープ交換部（５）を左右に割って交換する。
【０００９】テープ出し過ぎの場合は、巻き戻し窓（７）で巻き戻すことが出来る。
【００１０】単体（２）は既製品カッターに（９）の両面テープを剥いで貼り付ける。
【符号の説明】
【００１１】１  テープカッター本体
２  テープ折り曲げ凸部
３  テープ
４  金属刃
５  左右開閉テープ交換部
６  テープ引き出し窓
７  テープ巻き戻し窓
８  テープ残量覗き窓
９  既製カッター貼り付け用両面テープ
【図１】
0003190312.tif 000003
【図２】
0003190312.tif 000004
【図３】
0003190312.tif 000005
【手続補正書】
【提出日】平成26年1月27日(2014.1.27)
【手続補正１】
【補正対象書類名】実用新案登録請求の範囲
【補正対象項目名】全文
【補正方法】変更
【補正の内容】
【実用新案登録請求の範囲】
【請求項１】
テープ（３）が格納された左右開閉テープ交換部（５）を設けたテープカッター本体（１）の中央部のテープ引き出し穴（６）から伸びたテープ（３）に沿って前方に伸びた部分に設けた金属刃（４）の先端部の下部にテープ折り曲げ凸部（２）を設けたテープ折りカッター。
【請求項２】
前記テープ折り曲げ凸部（２）は、裏面に両面テープ（９）を備え、既製のテープカッター本体に貼り付けたことを特徴とする請求項１記載のテープ折りカッター。
【請求項３】
前記テープ（３）が格納されたテープカッター本体（１）は、中央部の後方にテープ巻き戻し穴（７）を設け、中央部の後方側面にテープ残量覗き穴（８）を設けたことを特徴とする請求項１記載のテープ折りカッター。
【手続補正２】
【補正対象書類名】明細書
【補正対象項目名】全文
【補正方法】変更
【補正の内容】
【考案の詳細な説明】
【技術分野】
【０００１】  本考案は、テープを貼った後に剥がす場合テープが剥がれ易い様に貼る時にテープの先端部を指先で摘んでテープの先端を折り曲げる為に使用できるテープ折りカッターに関するものである。
【背景技術】
【０００２】  従来のテープカッターは、テープの先端を摘んで引き出し、金属刃の先端部で折り曲げて摘み部分のない平面のテープを切断していた。
【考案の概要】
【考案が解決しようとする課題】
【０００３】  しかしながら、従来のテープカッターによるテープでは、チラシ、ポスター、包装紙、マスキング等を貼った後に剥がす場合は接着面が強く密着し爪先で簡単に剥がせない場合が多い欠点があった。
【課題を解決するための手段】
【０００４】  テープ（３）が格納された左右開閉テープ交換部（５）を設けたテープカッター本体（１）の中央部のテープ引き出し穴（６）から伸びたテープ（３）に沿って前方に伸びた部分に設けた金属刃（４）の先端部の下部にテープ折り曲げ凸部（２）を設ける。【０００５】  既製のテープカッター本体を使用する場合は、裏面に両面テープ（９）を貼り付けた前記のテープ折り曲げ凸部（２）を金属刃（４）の先端部の下部に設ける。【０００６】  前記のテープカッター本体（１）の中央部の後方にテープ巻き戻し穴（７）を設け、中央部の後方側面にテープ残量覗き穴（８）を設ける。
本考案は、以上の構成よりなるテープ折りカッターである。
【考案の効果】
【０００７】  チラシ、ポスター、包装紙、マスキング等をテープで貼った後に剥がす場合、接着面が強く密着し爪先で簡単に剥がせない場合がある。しかし従来のテープカッターに比べテープ折り曲げ凸部を設けたテープカッターは、テープの先端部を指先で摘んでテープの先端を折り曲げる為に摘み部分ができるのでテープが剥がれ易くなる。【０００８】  既製のテープカッター本体を使用する場合は、裏面に両面テープを貼り付けたテープ折り曲げ凸部だけを金属刃の先端部の下部に貼り付けられるので既製のものでもテープが剥がれ易くなる。
【図面の簡単な説明】
【０００９】
【図１】  本考案の平面図である。
【図２】  本考案の右側面図である。
【図３】  本考案の単体右側面図である。
【考案を実施するための形態】
【００１０】  以下、本考案の実施の形態について説明する。
テープ（３）が格納された左右開閉テープ交換部（５）を設けたテープカッター本体（１）の中央部のテープ引き出し穴（６）から伸びたテープ（３）に沿って前方に伸びた部分に設けた金属刃（４）の先端部の下部にテープ折り曲げ凸部（２）を設ける。既製のテープカッター本体を使用する場合は、裏面に両面テープ（９）を貼り付けたテープ折り曲げ凸部（２）を金属刃（４）の先端部の下部に設ける。前記のテープカッター本体（１）の中央部の後方にテープ巻き戻し穴（７）を設け、中央部の後方側面にテープ残量覗き穴（８）を設ける。
本考案は、以上のような構造でこれを使用する時は、テープカッター本体（１）の左右開閉テープ交換部（５）を左右に割ってテープ（３）を格納する。テープカッター本体（１）の中央部のテープ引き出し穴（６）から伸びたテープ（３）の金属刃（４）の先端部にあるテープ（３）を指先で摘んで金属刃（４）の先端部の下部にあるテープ折り曲げ凸部（２）に鋭角に折り曲げて貼り付けた後に切断すると摘み部分ができるので剥がれ易いテープ（３）として使用できる。既製のテープカッター本体を使用する場合は、裏面に両面テープ（９）を貼り付けたテープ折り曲げ凸部（２）だけを金属刃（４）の先端部の下部に貼り付けられるので剥がれ易いテープ（３）として使用できる。テープ（３）を使用する場合に使い易くする為にテープカッター本体（１）の中央部の後方にテープ（３）の出し過ぎを巻き戻す為のテープ巻き戻し穴（７）と中央部の後方側面にテープ（３）の残量を確認できるテープ残量覗き穴（８）を設けて使用する。
【符号の説明】
【００１１】１  テープカッター本体
２  テープ折り曲げ凸部
３  テープ
４  金属刃
５  左右開閉テープ交換部
６  テープ引き出し穴
７  テープ巻き戻し穴
８  テープ残量覗き穴
９  両面テープ